(57)【要約】【課題】本発明は、防水性を損なうことなくスイッチ端子部を押圧できる新たな携帯電子機器を提供することを目的とする。【解決手段】携帯電子機器は、第１内部ケース２ａに形成される第１貫通孔２７と、第１貫通孔２７を封止する柔軟でシート状のパッキン部材４０と、スイッチ端子部３２を有するスイッチ部材３０と、第２スライドキー１９であって、パッキン部材４０側に突出する当接部５２を有するキー部材５０と、当接部５２とパッキン部材４０との間に配置され、キー部材５０が第２位置ＰＬ２に位置した場合に当接される被当接部７１を有し、キー部材５０が第２位置ＰＬ２に位置した場合、所定部７０ｃがパッキン部材４０を介してスイッチ端子部３２を押圧するように変形する舌片部材７０と、を有する第２スライドキー１９とを備える。【選択図】図１２Ｂ
2013058919.tif 000002
【特許請求の範囲】
【請求項１】
内部空間を有する内部ケース部材と、
前記内部ケース部材に形成される第１貫通孔と、
前記第１貫通孔を封止する柔軟でシート状の封止部材と、
前記内部ケース部材の前記内部空間に配置され、スイッチ本体と、前記スイッチ本体の前記封止部材側に突出すると共に突出位置が変位可能に構成されるスイッチ端子部と、を有するスイッチ部材と、
前記内部ケース部材の外側に前記封止部材を挟んで前記スイッチ部材と対向して配置されるスライドキー部材であって、
板状の操作部と、前記操作部の前記封止部材側に形成され前記封止部材側に突出する当接部とを有するキー部材と、
前記キー部材を前記当接部における突出方向と交差する方向にスライド移動可能であって第１位置と第２位置とにスライド移動可能に保持するキー保持部材と、
前記キー部材における前記当接部と前記封止部材との間に配置され、一端側が自由端となるよう前記キー保持部材に直接又は間接的に固定される舌片部材であって、
前記自由端側における前記キー部材側の面に前記キー部材側に突出して形成され、前記キー部材が第１位置に位置した場合には当接されず、前記キー部材が前記第２位置に位置した場合には当接される被当接部を有し、
前記キー部材が第２位置に位置した場合、前記自由端側における所定部が、前記キー部材が前記第１位置に位置した状態における位置よりも前記スイッチ端子部側に位置して、前記封止部材を介して前記スイッチ端子部を押圧することで前記スイッチ端子部の突出位置を変位させるように変形する舌片部材と、を有するスライドキー部材と、を備える
携帯電子機器。
【請求項２】
前記舌片部材が固定される舌片保持部材と、を備え、
前記舌片保持部材は、前記キー保持部材の前記封止部材側に取り付けられる
請求項１に記載の携帯電子機器。
【請求項３】
前記キー保持部材は、前記内部ケース部材の外面に取り付けられる
請求項２に記載の携帯電子機器。
【請求項４】
前記舌片保持部材は、
前記スライド移動方向に長い長孔状であって前記当接部に挿通される挿通孔と、
前記挿通孔の内面に該内面から突出して形成され、前記キー部材が前記第１位置と前記第２位置との間を移動する場合において、所定位置で前記当接部に当接されるクリック部と、を備える
請求項２又は３に記載の携帯電子機器。
【請求項５】
前記内部ケース部材の外側に配置され、前記第１貫通孔に対向して配置される第２貫通孔を有する外部ケースを備え、
前記スライドキー部材は、
前記キー部材が前記第２貫通孔を介して前記外部ケースの外側に露出するように配置される
請求項４に記載の携帯電子機器。
【請求項６】
内部空間を有する内部ケース部材と、
前記内部ケース部材に形成される第１貫通孔と、
前記第１貫通孔を封止する柔軟でシート状の封止部材と、
前記内部ケース部材の前記内部空間に配置され、スイッチ本体と、前記スイッチ本体の前記封止部材側に突出すると共に突出位置が変位可能に構成されるスイッチ端子部と、を有するスイッチ部材と、を有する携帯電子機器に用いられるスライドキー部材であって、
前記内部ケース部材の外側に前記封止部材を挟んで前記スイッチ部材と対向して配置され、
板状の操作部と、前記操作部の前記封止部材側に形成され前記封止部材側に突出する当接部とを有するキー部材と、
前記キー部材を前記当接部における突出方向と交差する方向にスライド移動可能であって第１位置と第２位置とにスライド移動可能に保持するキー保持部材と、
前記キー部材における前記当接部と前記封止部材との間に配置され、一端側が自由端となるよう前記キー保持部材に直接又は間接的に固定される舌片部材であって、
前記自由端側における前記キー部材側の面に前記キー部材側に突出して形成され、前記キー部材が第１位置に位置した場合には当接されず、前記キー部材が前記第２位置に位置した場合には当接される被当接部を有し、
前記キー部材が第２位置に位置した場合、前記自由端側の所定部が、前記キー部材が前記第１位置に位置した状態における位置よりも前記スイッチ端子部側に位置して、前記封止部材を介して前記スイッチ端子部を押圧することで前記スイッチ端子部の突出位置を変位させるように変形する舌片部材と、を備える
スライドキー部材。
【請求項７】
第１貫通孔が形成されるケース部材と、
前記第１貫通孔を封止する封止部材と、
スイッチ端子部と、
前記封止部材を挟んで前記スイッチ端子部と対向して配置され、一端側が自由端となる舌片部材を有する、スライド移動可能なスライドキー部材と、を有し、
前記スライドキー部材は、前記スライド移動に伴って、前記封止部材を介して前記舌片部材の前記自由端が前記スイッチ端子部を押圧する携帯電子機器。
【発明の詳細な説明】
【技術分野】
【０００１】
本発明は、携帯電話機等の携帯電子機器に関する。また、本発明は、携帯電子機器に用いられるスライドキー部材に関する。
【背景技術】
【０００２】
従来、防水性を有する携帯電話機等が存在する。防水性を有する携帯電話機等において、筺体内部への水の浸入を防止するため、各種パッキンが用いられている。パッキンは、例えば、ケース部材同士を組み合わせた状態における互いの当接部分や、操作キー等を挿通させる開口部に配置される。
【０００３】
ここで、携帯電話機等がスライドキーを備える場合、筺体内に配置されるスイッチを切り替えるため、シート状のパッキンには、スライドキーから突出する突出部材を挿通させる挿通孔が形成される。
そして、スライドキーがスライド移動されることで、突出部材は、シート状のパッキンを平面方向に変形させながら移動して、筺体内に配置されるスイッチを切り替える。
【０００４】
しかし、上記構成において、スライドキーを繰り返し移動させることにより、突出部材に平面方向に繰り返し変形され、挿通孔の周囲に破損が生じる場合がある。
【０００５】
これに対し、挿通孔の周囲に肉厚部を形成して、パッキンにおける破損を抑制するスイッチ構造を有する携帯電話機が提案されている（例えば、特許文献１参照）。
【先行技術文献】
【特許文献】
【０００６】
【特許文献１】特開２０１１−４９８０３号公報
【発明の概要】
【発明が解決しようとする課題】
【０００７】
防水性を損なうことなくスイッチ端子部を押圧できる新たな携帯電子機器が望まれている。
【０００８】
また、本発明は、防水性を損なうことなくスイッチ端子部を押圧できる新たな携帯電子機器を提供することを目的とする。
【課題を解決するための手段】
【０００９】
本発明は、内部空間を有する内部ケース部材と、前記内部ケース部材に形成される第１貫通孔と、前記第１貫通孔を封止する柔軟でシート状の封止部材と、前記内部ケース部材の前記内部空間に配置され、スイッチ本体と、前記スイッチ本体の前記封止部材側に突出すると共に突出位置が変位可能に構成されるスイッチ端子部と、を有するスイッチ部材と、前記内部ケース部材の外側に前記封止部材を挟んで前記スイッチ部材と対向して配置されるスライドキー部材であって、板状の操作部と、前記操作部の前記封止部材側に形成され前記封止部材側に突出する当接部とを有するキー部材と、前記キー部材を前記当接部における突出方向と交差する方向にスライド移動可能であって第１位置と第２位置とにスライド移動可能に保持するキー保持部材と、前記キー部材における前記当接部と前記封止部材との間に配置され、一端側が自由端となるよう前記キー保持部材に直接又は間接的に固定される舌片部材であって、前記自由端側における前記キー部材側の面に前記キー部材側に突出して形成され、前記キー部材が第１位置に位置した場合には当接されず、前記キー部材が前記第２位置に位置した場合には当接される被当接部を有し、前記キー部材が第２位置に位置した場合、前記自由端側における所定部が、前記キー部材が前記第１位置に位置した状態における位置よりも前記スイッチ端子部側に位置して、前記封止部材を介して前記スイッチ端子部を押圧することで前記スイッチ端子部の突出位置を変位させるように変形する舌片部材と、を有するスライドキー部材と、を備える携帯電子機器に関する。
【００１０】
また、携帯電子機器は、前記舌片部材が固定される舌片保持部材と、を備え、前記舌片保持部材は、前記キー保持部材の前記封止部材側に取り付けられることが好ましい。
【００１１】
また、携帯電子機器において、前記キー保持部材は、前記内部ケース部材の外面に取り付けられることが好ましい。
【００１２】
また、携帯電子機器において、前記舌片保持部材は、前記スライド移動方向に長い長孔状であって前記当接部に挿通される挿通孔と、前記挿通孔の内面に該内面から突出して形成され、前記キー部材が前記第１位置と前記第２位置との間を移動する場合において、所定位置で前記当接部に当接されるクリック部と、を備えることが好ましい。
【００１３】
また、携帯電子機器は、前記内部ケース部材の外側に配置され、前記第１貫通孔に対向して配置される第２貫通孔を有する外部ケースを備え、前記スライドキー部材は、前記キー部材が前記第２貫通孔を介して前記外部ケースの外側に露出するように配置されることが好ましい。
【００１４】
また、本発明は、内部空間を有する内部ケース部材と、前記内部ケース部材に形成される第１貫通孔と、前記第１貫通孔を封止する柔軟でシート状の封止部材と、前記内部ケース部材の前記内部空間に配置され、スイッチ本体と、前記スイッチ本体の前記封止部材側に突出すると共に突出位置が変位可能に構成されるスイッチ端子部と、を有するスイッチ部材と、を有する携帯電子機器に用いられるスライドキー部材であって、前記内部ケース部材の外側に前記封止部材を挟んで前記スイッチ部材と対向して配置され、板状の操作部と、前記操作部の前記封止部材側に形成され前記封止部材側に突出する当接部とを有するキー部材と、前記キー部材を前記当接部における突出方向と交差する方向にスライド移動可能であって第１位置と第２位置とにスライド移動可能に保持するキー保持部材と、前記キー部材における前記当接部と前記封止部材との間に配置され、一端側が自由端となるよう前記キー保持部材に直接又は間接的に固定される舌片部材であって、前記自由端側における前記キー部材側の面に前記キー部材側に突出して形成され、前記キー部材が第１位置に位置した場合には当接されず、前記キー部材が前記第２位置に位置した場合には当接される被当接部を有し、前記キー部材が第２位置に位置した場合、前記自由端側の所定部が、前記キー部材が前記第１位置に位置した状態における位置よりも前記スイッチ端子部側に位置して、前記封止部材を介して前記スイッチ端子部を押圧することで前記スイッチ端子部の突出位置を変位させるように変形する舌片部材と、を備えるスライドキー部材に関する。
【００１５】
また、本発明は、第１貫通孔が形成されるケース部材と、前記第１貫通孔を封止する封止部材と、スイッチ端子部と、前記封止部材を挟んで前記スイッチ端子部と対向して配置され、一端側が自由端となる舌片部材を有する、スライド移動可能なスライドキー部材と、を有し、前記スライドキー部材は、前記スライド移動に伴って、前記封止部材を介して前記舌片部材の前記自由端が前記スイッチ端子部を押圧する携帯電子機器に関する。
【発明の効果】
【００１６】
本発明によれば、防水性を損なうことなくスイッチ端子部を押圧できる新たな携帯電子機器を提供することができる。
【図面の簡単な説明】
【００１７】
【図１】携帯電話機１における正面図である。
【図２】携帯電話機１における裏面図である。
【図３】携帯電話機１における側面図である。
【図４】携帯電話機１における裏面側の斜視図である。
【図５】図４の携帯電話機１における展開図である。
【図６】携帯電話機１における第２スライドキー１９やスイッチ部材３０の配置を示す水平断面図である。
【図７】図６に示した第２スライドキー１９の拡大図である。
【図８】図７に示した第２スライドキー１９の展開図である。
【図９】第２スライドキー１９を構成するキー部材５０、キー保持部材６０、舌片部材７０の展開状態の斜視図である。
【図１０】組立状態の第２スライドキー１９をシート状のパッキン部材４０側から見た斜視図である。
【図１１】舌片部材７０及び舌片保持部材８６のシート状のパッキン部材４０側から見た斜視図である。
【図１２Ａ】第２スライドキー１９の動作説明図で、キー部材５０が第１位置ＰＬ１に位置している状態の説明図である。
【図１２Ｂ】第２スライドキー１９の動作説明図で、キー部材５０が第２位置ＰＬ２に位置している状態の説明図である。
【図１３Ａ】スイッチ部材３０及び舌片部材７０の配置の他の実施の形態の説明図である。
【図１３Ｂ】スイッチ部材３０及び舌片部材７０の配置の更に他の実施の形態の説明図である。
【発明を実施するための形態】
【００１８】
以下、図面を参照して本発明を実施するための形態を説明する。
図１から図５により、携帯電話機１（携帯電子機器）における基本構造を説明する。
図１は、携帯電話機１における正面図である。図２は、携帯電話機１における裏面図である。図３は、携帯電話機１における側面図である。図４は、携帯電話機１における裏面側の斜視図である。図５は、図４の携帯電話機１における展開図である。
【００１９】
図１から図４に示すように、携帯電話機１は、筐体２を有する。
筐体２は、表面２Ａと、裏面２Ｂとを有する。本実施形態において、表面２Ａは、ユーザに対向する面であってユーザからの押圧操作を受ける面である。また、裏面２Ｂは、ユーザの指や手の平に対向して配置される（載置される）面である。
筐体２における外郭は、外部ケース２ｂと、バッテリーカバー２ｃと、第２内部ケース２ｄと、フロントパネル２ｅとにより構成される。また、筐体２における内部には、内部空間ＩＳ（図５参照）を有する第１内部ケース２ａが配置される。
【００２０】
筐体２における表面２Ａ側には、操作キー群１１と、第１スライドキー１２と、表示部２１と、音出力部２５と、表面側気圧調整部１１０（外側通気孔１１１）とが配置される。
また、筐体２における裏面２Ｂ側には、裏面側気圧調整部１２０（外側通気孔１２１）が配置される。
また、筐体２における長手方向の側面には、インターフェース１７（ＩＦカバー１７ａ）と、サイドキー１６と、第２スライドキー１９（スライドキー部材）とが配置される。
また、筐体２における短手方向の側面には、音入力部２４（マイク用孔２４ａ）が配置される。
【００２１】
操作キー群１１は、内部ケース部材（第１内部ケース２ａ及び第２内部ケース２ｄ）の長手方向における一端側に配置される。
操作キー群１１は、第２内部ケース２ｄの外側に配置される第１操作キー１１ａ、第２操作キー１１ｂ、第３操作キー１１ｃを備える。
第１操作キー１１ａ、第２操作キー１１ｂ、第３操作キー１１ｃそれぞれには、所定の機能がアサインされている。第１操作キー１１ａ、第２操作キー１１ｂ、第３操作キー１１ｃのいずれかが選択（押下）された場合、選択された機能にアサインされた機能が実行される（対応アプリケーションが起動する）。
第１操作キー１１ａ、第２操作キー１１ｂ、第３操作キー１１ｃに対しては、例えば、表示部２１に各操作キーの近傍に表示されたアイコン等の機能表示に対応する機能をアサインされる。
【００２２】
第１スライドキー１２は、携帯電話機１における長手方向の一端側に形成される。第１スライドキー１２は、表面２Ａに沿って筐体２の幅方向にスライド移動可能に構成される。
第１スライドキー１２は、位置に応じて所定の機能や起動中の機能における動作条件がアサインされる。
例えば、第１スライドキー１２は、位置に応じて、呼び出し音や音出力部２５における出音の大きさを切り替えるように動作条件がアサインされてもよく、位置に応じて、他の機能が起動（切替）するようにアサインされてもよい。
【００２３】
表示部２１は、文字情報や画像情報等の各種情報を表示可能に構成される。
表示部２１は、所定の機能に対応した文字情報や画像情報を表示可能に構成される。
【００２４】
音出力部２５は、筐体２における該筐体２の長手方向における一端側に配置される。音出力部２５は、長手方向において、後述する音入力部２４と反対の端部側に配置される。
音出力部２５は、表面２Ａに形成されたレシーバ用孔２５ａと、第１内部ケース２ａ第２内部ケース２ｄの内部に収容配置されるレシーバ（スピーカ）２５ｂとを有する。
レシーバ用孔２５ａは、第２内部ケース２ｄ及びフロントパネル２ｅに形成された貫通孔である。
レシーバ２５ｂは、第１内部ケース２ａと第２内部ケース２ｄとにより形成された内部空間ＩＳに収容配置される。レシーバ２５ｂは、振動板（不図示）を有する。レシーバ２５ｂは、振動板を振動させることで、レシーバ用孔２５ａを介して外部空間ＯＳに出音する。
ここで、レシーバ２５ｂは、内部空間ＩＳにおける内圧が上昇した場合、ビリ音が生じる等の不具合が生じる場合がある。
【００２５】
表面側気圧調整部１１０は、表面２Ａ側に形成される気圧調整部である。表面側気圧調整部１１０は、後述する裏面側気圧調整部１２０と共に、内部空間ＩＳと外部空間ＯＳ（図５参照）との気圧が同じくなるよう調整する。
表面側気圧調整部１１０は、気圧調整部材１１３を有する。
気圧調整部材１１３に用いられる気圧調整シートは、防水機能を有すると共に、通気性を有するシートである。
【００２６】
裏面側気圧調整部１２０は、裏面２Ｂ側に形成される気圧調整部である。裏面側気圧調整部１２０は、上述した表面側気圧調整部１１０と共に、内部空間ＩＳと外部空間ＯＳとの気圧が同じくなるよう調整する。
裏面側気圧調整部１２０は、内側気圧調整部材１３０を有する。
内側気圧調整部材１３０に用いられる気圧調整シートは、防水機能を有すると共に、通気性を有するシートである。
【００２７】
インターフェース１７は、不使用時には、ＩＦカバー１７ａにより覆われている。
サイドキー１６は、所定の機能がアサインされている。サイドキー１６が選択（押下）された場合、選択された機能にアサインされた機能が実行される（対応アプリケーションが起動する）。本実施形態において、例えば、サイドキー１６には、キーロック機能がアサインされる。
【００２８】
第２スライドキー１９は、側面に沿って筐体２の長手方向にスライド移動可能に構成される。
第２スライドキー１９は、位置に応じて所定の機能や起動中の機能における動作条件がアサインされる。
例えば、第２スライドキー１９は、位置に応じて、電源をオン／オフするよう動作条件がアサインされていてもよい。第２スライドキー１９の配置や構造等については後に詳述する。
【００２９】
音入力部２４は、筐体２における短手方向に延びる側面に配置される。音入力部２４は、長手方向において、前述の音出力部２５と反対の端部側に配置される。
音入力部２４は、側面に形成されたマイク用孔２４ａと、第１内部ケース２ａ及び第２内部ケース２ｄの内部に収容配置されるマイク２４ｂとを有する。
マイク用孔２４ａは、第２内部ケース２ｄに形成された貫通孔である。
マイク２４ｂは、第１内部ケース２ａと第２内部ケース２ｄとにより形成された内部空間ＩＳに収容配置される。
【００３０】
次いで、図５により、携帯電話機１における内部構造について説明する。
図５に示すように、筐体２は、上述の通り、第１内部ケース２ａと、外部ケース２ｂ（外部ケース部材）と、バッテリーカバー２ｃと、第２内部ケース２ｄと、フロントパネル２ｅとを備える。ここで、第１内部ケース２ａ及び第２内部ケース２ｄは、内部空間ＩＳを有する内部ケース部材２０を構成する。
また、携帯電話機１は、内部空間ＩＳを有する内部ケース部材２０と、内部ケース部材２０に形成される第１貫通孔２７と、第１貫通孔２７を封止する柔軟でシート状のパッキン部材４０と、シート状のパッキン部材４０と対向するように内部ケース部材２０の内部空間ＩＳに配置されるスイッチ部材３０と、内部ケース部材２０内のスイッチ部材３０とシート状のパッキン部材４０を挟んで対向するように内部ケース部材２０の外側に配置される第２スライドキー１９と、を備える。
【００３１】
第１内部ケース２ａは、筐体２の内部側に配置されるケース部材である。第１内部ケース２ａは、第２内部ケース２ｄとともに内部空間ＩＳを形成する。
第１内部ケース２ａは、外側（外部空間ＯＳ側）に形成されるバッテリ収容部８１を有する。バッテリ収容部８１には、バッテリ８０が収容配置される。バッテリ収容部８１は、バッテリ８０が収容された状態でバッテリーカバー２ｃにより密閉される。
【００３２】
外部ケース２ｂは、第１内部ケース２ａの外側（外部空間ＯＳ側）に配置される。外部ケース２ｂは、第１内部ケース２ａの外側に積層配置される。
外部ケース２ｂは、開口１９０を有する。開口１９０は、バッテリを着脱するための開口であって、上述のバッテリ収容部８１に対応して形成される。開口１９０は、バッテリーカバー２ｃにより被覆される部分である。
外部ケース２ｂには、前述の外側通気孔１２１（図２参照）が形成される。外側通気孔１２１は、内部ケースの長手方向における操作キー群１１側と反対の他端側に形成される。外側通気孔１２１は、外部ケース２ｂにおける一面側と他面側とを連通させる。外側通気孔１２１は、内部空間ＩＳと外部空間ＯＳとを連通させる。
【００３３】
バッテリーカバー２ｃは、上述の通り、開口１９０を覆うように配置されると共に、バッテリ収容部８１を密閉する部材である。
第２内部ケース２ｄは、第１内部ケース２ａとともに内部空間ＩＳを形成する。第２内部ケース２ｄは、第１内部ケース２ａと防水パッキン等を介して組み合わされる。第２内部ケース２ｄは、第１内部ケース２ａとともに密閉された内部空間ＩＳを形成する。
第１内部ケース２ａと第２内部ケース２ｄとが、内部空間ＩＳを形成する内部ケース部材２０を形成している。
【００３４】
フロントパネル２ｅは、光透過性の板状部材である。フロントパネル２ｅは、筐体２における表示部２１側の表面に配置される。フロントパネル２ｅは、表示部２１に表示した文字や画像を外部に視認可能に透過する。
また、表示部２１がタッチパネルである場合、フロントパネル２ｅは、ユーザの指やタッチペンにより接触される部分である。
【００３５】
第１内部ケース２ａと第２内部ケース２ｄとの間に形成される内部空間ＩＳは、防水された密閉空間であって、前述の表面側気圧調整部１１０及び裏面側気圧調整部１２０により、防水性を維持しつつ、気圧が外部空間ＯＳと同じ気圧になるよう調整されている。
そして、内部空間ＩＳには、マイク２４ｂと、レシーバ２５ｂと、表示部２１と、キー構造部（不図示）と、回路基板（不図示）と、アンテナ（不図示）と、第２スライドキー１９により動作切り替えされるスイッチ部材３０と、が収容配置される。
【００３６】
表示部２１は、液晶パネルと、液晶パネルを駆動する駆動回路と、液晶パネルの背面側から光を照射するバックライト等の光源部とを含んで構成される。
【００３７】
キー構造部は、操作キー１１ａ、１１ｂ、１１ｃそれぞれに対応する操作部材と、キーシートと、各操作部材に対応するスイッチが実装されたキー基板と、を有する。
【００３８】
回路基板は、平板状の基板部と、基板部の表面に実装される電子部品及び各種回路ブロックと、基板部の表面に実装される基準電位パターン層（グランドパターン層）とを有する。
基板部に実装される電子部品は、例えば、アンテナが送受信する信号を処理する信号処理部を含む電子部品等である。また、回路ブロックは、例えば、ＲＦ（Ｒａｄｉｏ  Ｆｒｅｑｕｅｎｃｙ）回路や電源回路等である。
【００３９】
アンテナは、基台と、基台に上に配置された所定形状のアンテナエレメントとを有して構成される。
アンテナエレメントは、帯状の板金により形成される。アンテナエレメントは、不図示の給電端子を介して回路基板から給電される。これにより、アンテナエレメントは、給電端子を介して回路基板から給電されると共に、回路基板のＲＦモジュール等と接続される。
【００４０】
図５に示すように、スイッチ部材３０は、内部空間ＩＳ内に配置される。スイッチ部材３０は、内部ケース部材２０におけるサイドキー１６が配置されている側面側に配置される。
図６に示すように、スイッチ部材３０は、スイッチ本体３１と、スイッチ本体３１のシート状のパッキン部材４０側に突出すると共に突出位置が変位可能に構成されるスイッチ端子部３２と、を有する。スイッチ部材３０は、略直方体状のスイッチ本体３１と、前記スイッチ本体３１からシート状のパッキン部材４０側に突出して設けられたスイッチ端子部３２と、を有する。
【００４１】
スイッチ本体３１は、スイッチ端子部３２を回動可能に保持する。スイッチ本体３１は、スイッチ端子部３２を突出位置が変更に可能に保持する。スイッチ本体３１は、スイッチ端子部３２の突出位置により状態を切り替える構造部を保持する。
スイッチ端子部３２は、上述の通り、突出位置が変位可能に構成されており、外部からの押圧により突出位置が変更可能に構成される。
スイッチ部材３０は、スイッチ端子部３２に突出位置が変更されることで、状態の切り替えを行う。
【００４２】
ここで、内部ケース部材２０（第１内部ケース２ａ）の側面部であってスイッチ部材３０に対向する領域には、スイッチ部材３０を外部空間ＯＳに連通させる第１貫通孔２７が形成される。第１貫通孔２７は、後述の図１２Ａに示すシート状のパッキン部材４０により封止される。
パッキン部材４０は、柔軟で、シート状の封止部材である。パッキン部材４０は、第１貫通孔２７における外側に配置される。パッキン部材４０は、第１貫通孔２７を覆うように配置される。パッキン部材４０は、第１貫通孔２７における防水性を付与する。
【００４３】
また、図５に示すように、外部ケース２ｂの側面部であって第１貫通孔２７と対向する領域には、第２貫通孔２８が形成されている。
第２貫通孔２８は、後述するキー保持部材６０のキー部材載置面６１と略同等の大きさの貫通孔である。
第２貫通孔２８が形成されることで、内部ケース部材２０に取り付けられる第２スライドキー１９のキー部材５０は、第２貫通孔２８を介して外部ケース２ｂの外側に露出するように配置される。
【００４４】
続けて、図５から図１１により、第２スライドキー１９の配置及び構造について説明する。図６は、携帯電話機１における第２スライドキー１９やスイッチ部材３０の配置を示す水平断面図である。図７は、図６に示した第２スライドキー１９の拡大図である。図８は、図７に示した第２スライドキー１９の展開図である。図９は、第２スライドキー１９を構成するキー部材５０、キー保持部材６０、舌片部材７０の展開状態の斜視図である。図１０は、組立状態の第２スライドキー１９をシート状のパッキン部材４０側から見た斜視図である。図１１は、舌片部材７０及び舌片保持部材８６のシート状のパッキン部材４０側から見た斜視図である。
【００４５】
図５から図９に示すように、第２スライドキー１９は、キー部材５０と、キー保持部材６０と、舌片部材構造部７０Ａと、を備える。
第２スライドキー１９は、内部ケース部材２０の外側にシート状のパッキン部材４０を挟んでスイッチ部材３０と対向して配置される。
【００４６】
図７に示すように、キー部材５０は、板状の操作部５１と、当接部５２と、を有する。
キー部材５０は、矢印Ｙ１方向にスライド可能に構成される。キー部材５０は、第１位置ＰＬ１と、第２位置ＰＬ２（所定位置）とにスライド可能に構成される。
【００４７】
操作部５１は、第２貫通孔２８が形成された外部ケース２ｂの側面に沿って延びる平板部５１ａと、平板部５１ａの外表面（シート状のパッキン部材４０とは反対側）に形成される突起部５１ｂとを有する。
操作部５１は、ユーザからの操作を受け付ける（指が当接される）部分である。
平板部５１ａは、例えば、ユーザの指が載置される部分である。
突起部５１ｂは、例えば、ユーザがスライド操作する際に指に引っかかる部分である。
【００４８】
当接部５２は、操作部５１におけるシート状のパッキン部材４０側の面に、シート状のパッキン部材４０側に向かって突出して形成される突出部材である。
当接部５２は、操作部５１に対する操作に対応して、操作部５１と共にスライド移動する。
【００４９】
当接部５２は、キー部材５０が第１位置ＰＬ１に位置した場合、後述する舌片部材７０における被当接部７１に当接せず、キー部材５０が第２位置ＰＬ２に位置した場合、後述する舌片部材７０における被当接部７１に当接するよう構成される。
当接部５２は、キー部材５０が第２位置ＰＬ２に位置した状態において、被当接部７１に当接することで、舌片部材７０を押下する。そして、当接部５２は、キー部材５０が第２位置ＰＬ２に位置した状態において、舌片部材７０及びシート状のパッキン部材４０を介して、内部ケース部材２０内のスイッチ部材３０のスイッチ端子部３２を押下操作する。
【００５０】
キー保持部材６０は、キー部材載置面６１と、該キー部材載置面６１の中央部に貫通形成された当接部挿通孔６２と、保持部材収容凹部６４と、誤挿入防止部６５と、を備える。
【００５１】
キー部材載置面６１は、キー部材５０の操作部５１が図７の矢印Ｙ１方向にスライド可能に載置される部分である。
図７の矢印Ｙ１方向は、キー部材５０の当接部５２の突出方向（図７の矢印Ｘ１方向）と交差する方向であり、本実施形態の場合、外部ケース２ｂの側面の長手方向に沿う方向である。
【００５２】
当接部挿通孔６２は、キー保持部材６０に形成され、キー部材載置面６１に載置されたキー部材５０の当接部５２を、シート状のパッキン部材４０側に挿通させる貫通孔である。当接部挿通孔６２は、挿通した当接部５２が図７の矢印Ｙ１方向に移動可能なように、矢印Ｙ１方向に長い長孔状に形成される。
【００５３】
保持部材収容凹部６４は、後述する舌片保持部材８６を収容保持する凹状の部分である。保持部材収容凹部６４は、キー保持部材６０におけるパッキン部材４０側に形成される矩形状に窪んだ収容部である。
【００５４】
図１０に示すように、誤挿入防止部６５は、保持部材収容凹部６４の一側の端縁から保持部材収容凹部６４側に突出した突起である。
【００５５】
キー保持部材６０は、キー部材５０を当接部５２における突出方向と交差する方向（図６及び図７における矢印Ｙ１方向）にスライド移動可能に保持する。
詳細には、キー保持部材６０は、キー部材５０を、第１位置ＰＬ１と、第２位置ＰＬ２と、矢印Ｙ１方向にスライド移動可能に保持する。
ここで、第１位置ＰＬ１は、キー部材５０の初期位置であり、スイッチ部材３０を初期の動作状態に維持する位置である。
また、第２位置ＰＬ２は、初期位置である第１位置ＰＬ１から所定距離だけスライド移動した位置である。第２位置ＰＬ２は、キー部材５０における当接部５２が舌片部材７０における被当接部７１に当接する位置である。また、第２位置ＰＬ２は、当接部５２により舌片部材７０がスイッチ端子部３２側に押下される位置である。また、第２位置ＰＬ２は、舌片部材７０によりパッキン部材４０を介してスイッチ端子部３２が押下され、スイッチ部材３０が初期の動作状態とは異なる動作状態に切り替えられる位置である。
【００５６】
図６に示すように、キー保持部材６０は、内部ケース部材２０の側面の長手方向（図６の矢印Ｙ１方向）に離間した両端部６０ａ，６０ｂそれぞれを、第１内部ケース２ａの外面の保持部材係合部２０１，２０２に係合させることで、内部ケース部材２０の外面に固定される。
【００５７】
図５から図７に示すように、キー部材載置面６１には、キー部材載置面６１の表面を覆うシート８４が配置される。図９に示すように、シート８４は、キー保持部材６０における当接部挿通孔６２に対応する位置形成され、当接部５２を挿通させる当接部挿通孔８４ａを有する。シート８４は、キー部材載置面６１と操作部５１との間に介在し、キー部材５０のスライド移動をスムースにする。
【００５８】
舌片部材構造部７０Ａは、舌片部材７０と、舌片部材７０の他端７０ｂが固定される舌片保持部材８６とを有する。
【００５９】
舌片保持部材８６は、矩形の枠状構造であって、舌片部材７０の他端７０ｂが一体形成されている。舌片保持部材８６は、他端７０ｂが固定された舌片部材７０の外周を囲うように形成される。
【００６０】
図７に示すように、舌片保持部材８６は、キー保持部材６０におけるパッキン部材４０側に形成された保持部材収容凹部６４に嵌合装着される。
図９に示すように、舌片保持部材８６は、外周面に形成される係合突起８６ａと、誤挿入防止溝８６ｂとを有する。
【００６１】
係合突起８６ａは、舌片保持部材８６の外周面に複数形成される。各係合突起８６ａは、舌片保持部材８６が保持部材収容凹部６４に装着された状態において保持部材収容凹部６４内の係止用凹部と係合する。各係合突起８６ａは、舌片保持部材８６をキー保持部材６０に固定する。
【００６２】
誤挿入防止溝８６ｂは、舌片保持部材８６の外周の一箇所だけに形成される。図１０に示すように、誤挿入防止溝８６ｂは、キー保持部材６０の誤挿入防止部６５に嵌入される凹部である。誤挿入防止溝８６ｂは、誤挿入防止部６５とともに舌片部材構造部７０Ａにおける不正な向きでの装着を防止する。
【００６３】
また、図１０に示すように、舌片保持部材８６は、挿通孔８６１と、クリック部８６２，８６２と、を備える。
挿通孔８６１は、キー保持部材６０に装着されたキー部材５０の当接部５２が挿通される当接部挿通孔である。挿通孔８６１は、キー部材５０のスライド移動方向（矢印Ｙ１方向）に長い長孔状に形成されている。
【００６４】
クリック部８６２，８６２は、挿通孔８６１の内面に該内面から突出して形成される。クリック部８６２，８６２は、キー部材５０が第１位置ＰＬ１と第２位置ＰＬ２との間を移動する場合において、所定位置で当接部５２に当接される。これにより、クリック部８６２，８６２は、ユーザ（操作者）に対してクリック感を与える。
【００６５】
舌片部材７０は、キー部材５０における当接部５２とシート状のパッキン部材４０との間に配置される（図１２Ａ参照）。
図７に示すように、舌片部材７０は、他端７０ｂ側がキー保持部材６０に舌片保持部材８６を介して間接的に固定される。舌片部材７０は、一端側が自由端７０ａとなるよう、他端７０ｂ側がキー保持部材６０に間接的に固定される。
具体的には、舌片部材７０は、舌片保持部材８６がキー保持部材６０の保持部材収容凹部６４に装着されることで、舌片部材７０の他端７０ｂが舌片保持部材８６を介して、間接的にキー保持部材６０に固定された状態になる。
【００６６】
舌片部材７０は、自由端７０ａ側におけるキー部材５０側の面に形成された被当接部７１を有する。
被当接部７１は、キー部材５０側に突出して形成された隆起部（傾斜部）である。被当接部７１は、キー部材５０が第１位置ＰＬ１に位置している場合、図７に示すように、当接部５２には当接されない。
被当接部７１が第１位置ＰＬ１に位置する場合、舌片部材７０は、自由端７０ａ側における所定部７０ｃ（スイッチ部材３０に一番接近する位置）の位置が、図７に示すようにパッキン部材４０を介してスイッチ端子部３２を押圧しないか、又は、スイッチ端子部３２を押圧していても押圧量が規定量に達せずにスイッチ端子部３２が動作切り替えしない状態（第１状態）に維持される。
【００６７】
また、被当接部７１は、キー部材５０が第２位置ＰＬ２に位置する場合、当接部５２に当接される（図１２Ｂ参照）。
キー部材５０が第２位置ＰＬ２に位置する場合、舌片部材７０は、当接部５２が被当接部７１に当接されることで自由端７０ａ側がスイッチ側に移動する。
具体的には、キー部材５０が第２位置ＰＬ２に位置する場合、舌片部材７０の自由端７０ａは、被当接部７１が当接部５２により押圧されて、スイッチ端子部３２側に撓み変形される状態（第２状態）になる。
【００６８】
言い換えると、舌片部材７０は、自由端７０ａ側の所定部７０ｃがスイッチ端子部３２側に移動するよう撓み変形する。この場合における所定部７０ｃの位置は、自由端７０ａ側のスイッチ端子部３２側への撓み変位によって、キー部材５０が第１位置ＰＬ１に位置した状態における位置よりもスイッチ端子部３２側に位置（移動）する。
【００６９】
つまり、所定部７０ｃは、スイッチ端子部３２側への変位によって、シート状のパッキン部材４０をスイッチ端子部３２側に撓み変位（変形）させる。
そして、所定部７０ｃは、シート状のパッキン部材４０を介してスイッチ端子部３２を押圧して、該スイッチ端子部３２の突出位置を変位させる。これにより、スイッチ部材３０における状態が切り替えられる。
【００７０】
続けて、図１２Ａ及び図１２Ｂにより、第２スライドキー１９の作用（動作）を説明する。
図１２Ａは、第２スライドキー１９の動作説明図で、キー部材５０が第１位置ＰＬ１に位置している状態の説明図である。図１２Ｂは、第２スライドキー１９の動作説明図で、キー部材５０が第２位置ＰＬ２に位置している状態の説明図である。
【００７１】
図１２Ａに示すように、キー部材５０が初期位置である第１位置ＰＬ１に位置している状態（第１状態）において、キー部材５０における当接部５２は、被当接部７１に対して非接触（当接しない）の位置にある。
舌片部材７０における自由端７０ａは、スイッチ部材３０側に変位していない初期状態になっている。
この状態において、舌片部材７０とスイッチ部材３０との間に介在するシート状のパッキン部材４０は変形されていない。
【００７２】
また、この状態において、パッキン部材４０とスイッチ本体３１との間の離間距離Ｌ１は、スイッチ端子部３２がスイッチ部材３０の状態（動作）切り替える距離によりも大きい。
つまり、スイッチ端子部３２は、スイッチ部材３０の状態（動作）を切り替える傾斜位置にいたっていない。よって、スイッチ部材３０は、初期の状態を維持している。
【００７３】
次いで、ユーザが、図１２Ａに示す第１位置ＰＬ１に位置したキー部材５０を図１２Ｂに示す第２位置ＰＬ２に移動させた場合について説明する。
図１２Ｂに示すように、キー部材５０が初期位置である第１位置ＰＬ１から第２位置ＰＬ２にスライド移動された状態（第２状態）において、キー部材５０における当接部５２は、被当接部７１に当接する。
【００７４】
舌片部材７０における自由端７０ａは、スイッチ部材３０側に変位される。
この状態において、舌片部材７０とスイッチ部材３０との間に介在するパッキン部材４０は、自由端７０ａ側の所定部７０ｃによってスイッチ部材３０側に押し下げられてシート状における平面の垂直方向に撓む（伸びる）ように変形される。パッキン部材４０は、所定部７０ｃに押下された領域の周囲が伸びるように変形し、所定部７０ｃに当接する部分がスイッチ端子部３２側に向かって移動するように変形される。
【００７５】
これにより、舌片部材７０における所定部７０ｃは、パッキン部材４０を介して、スイッチ端子部３２を押し下げる。所定部７０ｃは、パッキン部材４０を介して、スイッチ端子部３２を該スイッチ端子部３２におけるスイッチ本体３１からの突出量が小さくなるよう突出位置を変位させる。
また、この状態において、パッキン部材４０とスイッチ本体３１との間の離間距離Ｌ２は、スイッチ端子部３２がスイッチ部材３０の状態（動作）を切り替える距離よりも小さい。
つまり、スイッチ端子部３２は、スイッチ部材３０の状態（動作）を切り替える傾斜位置を越えている。よって、スイッチ部材３０は、初期の状態から、初期の状態とは異なる状態に切り替えられる。
【００７６】
また、キー部材５０が第１位置ＰＬ１から第２位置ＰＬ２にスライド移動することで、当接部５２の両側部が舌片保持部材８６のクリック部８６２，８６２に当接すると共に、クリック部８６２，８６２を乗り越える。この際、キー部材５０においてクリック感が発生する。そして、ユーザは、キー部材５０の位置が切り替わったことを触覚（操作時の感触）により検知することができる。
【００７７】
ここで、ユーザは、図１２Ｂに示す第２位置ＰＬ２に位置したキー部材５０を、図１２Ａに示す第１位置ＰＬ１の位置に移動させる（元にもどす）こともできる。
キー部材５０が第２位置ＰＬ２から初期位置である第１位置ＰＬ１に移動された場合、キー部材５０における当接部５２は、被当接部７１に対して非接触（当接しない）の位置に移動される。
これにより、舌片部材７０における自由端７０ａは、スイッチ部材３０側と反対側に変位し、初期位置にももどる。
【００７８】
この状態において、舌片部材７０とスイッチ部材３０との間に介在するパッキン部材４０は、自由端７０ａ側の所定部７０ｃの移動にともなって、撓みが少なくなるよう変形し、初期状態にもどる。
これにより、舌片部材７０における所定部７０ｃは、パッキン部材４０を介して、スイッチ端子部３２を押し下げる位置から、キー保持部材６０側に向かうよう変位する。
【００７９】
ここで、スイッチ端子部３２は不図示の付勢部材によりスイッチ本体３１からの突出量が大きくなるよう移動される。
この状態において、パッキン部材４０とスイッチ本体３１との間の離間距離Ｌ１は、スイッチ端子部３２がスイッチ部材３０の状態（動作）を切り替える距離よりも大きくなる。
つまり、スイッチ端子部３２は、スイッチ部材３０の状態（動作）を切り替える傾斜位置を越えて元の位置に移動している。よって、スイッチ部材３０は、初期状態とは異なる状態から、初期の状態に切り替えられる。
【００８０】
また、上記と同様に、キー部材５０が第１位置ＰＬ１から第２位置ＰＬ２にスライド移動することで、当接部５２の両側部が舌片保持部材８６のクリック部８６２，８６２に当接すると共に、クリック部８６２，８６２を乗り越える。この際、キー部材５０においてクリック感が発生する。そして、ユーザは、キー部材５０の位置が切り替わったことを触覚（操作時の感触）により検知することができる。
【００８１】
本実施形態によれば、携帯電話機１において、第２スライドキー１９は、キー部材５０の当接部５２（突出部材）をシート状のパッキン部材４０を挿通させることなく、内部ケース部材２０に取り付けられている。そして、キー部材５０がスライド移動された場合には、キー部材５０の当接部５２は、シート状のパッキン部材４０を介して内部ケース部材２０内のスイッチ部材３０を押圧する状態又は押圧しない状態に切り替わる。
これにより、シート状のパッキン部材に突出部材を挿通させることなく、筺体内に配置されたスイッチ部材を切替可能な携帯電子機器を提供することができる。また、シート状のパッキン部材に突出部材を挿通させることなく、筺体内に配置されたスイッチ部材を切替可能なスライドキー部材を提供することができる。
【００８２】
また、本実施形態によれば、携帯電話機１において、キー部材５０の当接部５２がシート状のパッキン部材４０に挿通していないため、破損防止のためにパッキン部材の全部又は一部（例えば、挿通孔の周縁）を厚肉化する必要がない。このため、パッキン部材を薄肉化することができる。また、不要な肉厚部を形成する必要がないので、本実施形態においては筺体における厚さ方向の省スペース化（薄型化）を図ることができる。
【００８３】
また、本実施形態によれば、第２スライドキー１９のキー部材５０をスライド移動させた場合、パッキン部材４０に発生する変形は、舌片部材７０における自由端７０ａの撓み変形に応じたパッキン部材４０における肉厚方向（平面における垂直方向）への変形である。この変形は、キー部材の当接部がパッキン部材を挿通している場合においてキー部材の移動に伴い生じるパッキン部材における平面方向の変形（平面方向の伸縮変形）と比較すると、キー部材５０の移動操作時における操作力の変動を小さく抑えることができる。よって、携帯電話機１は、操作時における違和感の発生を抑制することができる。
【００８４】
また、本実施形態によれば、携帯電話機１は、舌片部材７０が固定される舌片保持部材８６を備える。そして、舌片保持部材８６は、キー保持部材６０のシート状のパッキン部材４０側に取り付けられる。
つまり、舌片部材７０は、舌片保持部材８６を介して間接的にキー保持部材６０に取り付けられる構造であるので、キー保持部材６０の寸法や形状等を変更することで、その位置を調整することが可能に構成される。これにより、携帯電話機１は、舌片部材７０における配置位置を柔軟に変更することができる。
【００８５】
また、本実施形態によれば、携帯電話機１において、キー保持部材６０は、内部ケース部材２０の外面に取り付けられる。
このため、キー保持部材６０の取り付け作業は、内部ケース部材２０内に収容される部品の組み付け作業とは別の作業とすることができる。これにより、携帯電話機１は、第２スライドキー１９の内部ケース部材２０への組み付け性を向上させる。
【００８６】
また、本実施形態によれば、携帯電話機１において、舌片保持部材８６は、キー部材５０のスライド移動方向に長い長孔状であって、当接部５２に挿通される挿通孔８６１と、挿通孔８６１の内面に該内面から内側に突出して形成されるクリック部８６２と、を備える。そして、クリック部８６２は、キー部材５０が第１位置ＰＬ１と第２位置ＰＬ２との間を移動する場合において、所定位置で当接部５２に当接される。これにより、キー部材５０が第１位置ＰＬ１と第２位置ＰＬ２との間をスライド移動された場合、クリック部８６２，８６２は、当接部５２との当接によりユーザに対してクリック感を感じさせる。ユーザは、キー部材５０の移動完了を感触で検知することができる。よって、携帯電話機１は、キー部材５０の良好な操作フィーリングを確保することができる。
【００８７】
また、本実施形態によれば、携帯電話機１は、内部ケース部材２０の外側に配置され、第１貫通孔２７に対向して配置される第２貫通孔２８を有する外部ケース２ｂを備える。そして、第２スライドキー１９は、キー部材５０が第２貫通孔２８を介して外部ケース２ｂの外側に露出するように配置される。
そのため、携帯電話機１は、内部ケース部材２０の外部露出を抑止して、内部ケース部材２０に対する防水性を向上させることができる。
【００８８】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８９】
また、本実施形態において、筐体が一つであるストレートタイプの携帯電話機について説明しているが、携帯電子機器は、このような携帯電話機に限定されない。本発明の携帯電子機器として、例えば、複数の筐体を有するタイプも含まれる。例えば、携帯電子機器は、２つの筺体が連結部を介して折りたたみ可能に構成された折り畳みタイプや、２つの筐体が重ね合わされた状態から一方の筐体を一方向にスライド移動可能に構成されたスライドタイプや、２つの筺体が重ね合された状態から重ね合わせ方向に沿う軸線を中心に一方の筐体を回転可能に構成された回転（ターン）タイプや、いわゆる２軸ヒンジタイプであってもよい。
【００９０】
また、本実施形態において、第２スライドキー１９における舌片部材７０は、舌片保持部材８６を介してキー保持部材６０に間接的に固定されていたが、これに限定されず、舌片部材７０は、他端７０ｂがキー保持部材６０に直接固定されていてもよい。
【００９１】
また、スイッチ部材と舌片部材との位置関係は、本実施形態において説明した位置関係に限定されない。特に、スイッチ部材におけるスイッチ端子部の回動方向によって、スイッチ部材と舌片部材との位置関係は適宜調整されてよい。
例えば、図１３Ａ及び図１３により、スイッチ部材と舌片部材との位置関係について更に説明する。図１３Ａは、スイッチ部材３０及び舌片部材７０の配置の他の実施の形態の説明図である。図１３Ｂは、スイッチ部材３０及び舌片部材７０の配置の更に他の実施の形態の説明図である。
【００９２】
図１３Ａ及び図１３Ｂに示す他の実施形態において、舌片部材７０は、反時計回りに回動移動するよう構成される。
ここで、図１３Ａに示す他の実施形態において、スイッチ部材３０は、舌片部材７０と反対方向の時計周りに回動移動するよう構成される。
図１３Ａに示す他の実施形態において、舌片部材７０は、他端７０ｂ側の固定端を回転支点Ｓ１として、角度θ１の回動により、舌片部材７０の自由端７０ａがスイッチ端子部３２を押圧するよう構成される。
舌片部材７０は、図１３Ａにおいて自由端７０ａが固定端よりも下方に位置した状態で、スイッチ端子部３２をスイッチ部材３０の状態が切り替わる位置に変位させることが可能に構成される。
【００９３】
一方、図１３Ｂに示す他の実施形態において、スイッチ部材３０は、舌片部材７０と同じ方向の反時計回りに回動移動するよう構成される。
図１３Ｂに示す他の実施形態において、舌片部材７０は、他端７０ｂ側の固定端を回転支点Ｓ１として、角度θ２の回動により、舌片部材７０の自由端７０ａがスイッチ端子部３２を押圧するよう構成される。
舌片部材７０は、図１３Ｂにおいて自由端７０ａが固定端よりも上方又は略同じ高さに位置した状態で、スイッチ端子部３２をスイッチ部材３０の状態が切り替わる位置に変位させることが可能に構成される。
【００９４】
このように、スイッチ部材と舌片部材との位置関係は、例えば、スイッチ部材におけるスイッチ端子部の回動方向によって、適宜調整されてよい。
【符号の説明】
【００９５】
１      携帯電話機
２      筺体
２ａ    第１内部ケース（内部ケース部材）
２ｂ    外部ケース
２ｄ    第２内部ケース（内部ケース部材）
１９    第２スライドキー（スライドキー部材）
２０    内部ケース部材
２７    第１貫通孔
２８    第２貫通孔
３０    スイッチ部材
３１    スイッチ本体
３２    スイッチ端子部
４０    パッキン部材（封止部材）
５０    キー部材
５１    操作部
５２    当接部
６０    キー保持部材
７０    舌片部材
７０ａ  自由端
７０ｃ  所定部
７１    被当接部
８６    舌片保持部材
８６１  挿通孔
８６２  クリック部
ＩＳ    内部空間
ＰＬ１  第１位置
ＰＬ２  第２位置（所定位置）
【図１】
2013058919.tif 000003
【図２】
2013058919.tif 000004
【図３】
2013058919.tif 000005
【図４】
2013058919.tif 000006
【図５】
2013058919.tif 000007
【図６】
2013058919.tif 000008
【図７】
2013058919.tif 000009
【図８】
2013058919.tif 000010
【図９】
2013058919.tif 000011
【図１０】
2013058919.tif 000012
【図１１】
2013058919.tif 000013
【図１２Ａ】
2013058919.tif 000014
【図１２Ｂ】
2013058919.tif 000015
【図１３Ａ】
2013058919.tif 000016
【図１３Ｂ】
2013058919.tif 000017